【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
外科切除器具と共に使用する着脱自在な保護装置であって、
前端と後端とそれらの間に延びる長手方向の通路とを画定する筐体であって、当該通路が外科切除器具ハンドピースを着脱自在に受けるサイズを有する後端開口で開き、切除工具軸を着脱自在に受けるサイズを有する前端開口で開いている、筐体と、
前記筐体に結合された巻線と
を備え、
前記巻線が、
対向する第１端と第２端を画定する導電性ワイヤであって、当該第１端が前記通路内に設置される、ワイヤと、
前記ワイヤの前記第１端が、前記通路内に配設される切除工具軸と電気接続を確立するために当該通路内に露出されるように、当該第１端を除く当該ワイヤの少なくとも大部分を覆う非導電性絶縁材料と
を備える、保護装置。
【請求項２】
請求項１に記載の保護装置において、
前記ワイヤの前記第１端が複数のワイヤ素線を含む、保護装置。
【請求項３】
請求項２に記載の保護装置において、
前記複数のワイヤ素線がワイヤブラシを形成する、保護装置。
【請求項４】
請求項１に記載の保護装置において、
前記ワイヤが炭素繊維ワイヤである、保護装置。
【請求項５】
請求項１に記載の保護装置において、
前記通路が、中心軸と最小半径とを画定し、
さらに前記ワイヤが、前記第１端が前記中心軸に向かって突出し前記最小半径内のある点で終わるように設置される、保護装置。
【請求項６】
請求項５に記載の保護装置において、
前記最小半径が切除工具軸の半径に相応する、保護装置。
【請求項７】
請求項１に記載の保護装置において、
前記筐体が当該筐体の外面と前記通路との間に延びる窓孔を形成し、
さらに前記巻線が前記窓孔を貫通する、保護装置。
【請求項８】
請求項７に記載の保護装置において、
前記筐体の前記外面に取り付けられた蓋をさらに備え、
前記巻線のある区分が前記蓋と前記筐体との間に囲まれる、保護装置。
【請求項９】
請求項１に記載の保護装置において、
前記巻線が、前記第１端から延びる第１区分と、前記第２端から延びる第２区分とを含み、
さらに前記第１区分が前記筐体に付着され、
前記第２区分が前記筐体に対して移動可能である、保護装置。
【請求項１０】
請求項１に記載の保護装置において、
前記筐体が非導電性材料から形成される、保護装置。
【請求項１１】
請求項１に記載の保護装置において、
前記筐体が、前記後端開口を画定するように結合し器具ハンドピースと着脱自在に係合するように構成された複数の偏向可能な指部を形成する、保護装置。
【請求項１２】
請求項１に記載の保護装置において、
切除工具軸を回転自在に支持するために前記前端開口に隣接する前記通路内に配設された軸受部材をさらに備える、保護装置。
【請求項１３】
請求項１に記載の保護装置において、
前記軸受部材のある領域で前記筐体の外面に組み付けられるカラーをさらに備える、保護装置。
【請求項１４】
請求項１３に記載の保護装置において、
前記筐体が、前記前端から延びる前区分と、前記後端から延びる後区分とを画定し、前記前区分が、前記後区分の直径より小さい直径を有し、
さらに前記カラーが前記前区分に組み付けられる、保護装置。
【請求項１５】
請求項１に記載の保護装置において、
前記筐体に結合された洗浄管をさらに備える、保護装置。
【請求項１６】
請求項１５に記載の保護装置において、
前記洗浄管が末端と基端とを画定し、
さらに前記末端が、前記筐体の前記前端より末端側に設置される、保護装置。
【請求項１７】
切除先端と当該切除先端から基端方向に延びる工具軸とを含む切除工具と、
駆動機構を回転自在に駆動するモータを含むモータ組立体と、
前記モータ組立体に結合され、自らが画定する孔内での前記工具軸と前記駆動機構との選択的な接続を容易にするように構成されたハンドピースと、
保護装置と
を備える外科切除システムであって、
前記保護装置が、
前端と後端とそれらの間に延びる長手方向の通路とを画定する筐体であって、当該後端が当該通路の後端開口を介して前記ハンドピースに着脱自在に取り付けられるように構成され、さらに当該前端が前端開口を介して当該通路内での前記工具軸の選択的配置を可能にするように構成された、筐体と、
前記筐体に結合された巻線と
を備え、
前記巻線が、
対向する第１端と第２端を画定する導電性ワイヤであって、当該第１端が前記通路内に設置される、ワイヤと、
前記第１端が前記通路内に露出されるように、当該第１端を除く前記ワイヤの少なくとも大部分を取り巻く非導電性絶縁材料と
を備え、
最終組み立て時に、前記ハンドピースが前記通路内に配設され、前記工具軸が当該通路を貫通し前記駆動機構に接続され、前記ワイヤの前記第１端が当該工具軸に接触する、外科切除システム。
【請求項１８】
請求項１７に記載のシステムにおいて、
前記ワイヤおよび当該ワイヤの前記第１端と前記工具軸との間の前記接触を介して刺激エネルギを前記切除先端に加えるために、当該ワイヤの前記第２端に選択的に電気的に結合されるエネルギ源を有する誘発電位モニタリングシステムをさらに備える、システム。
【請求項１９】
請求項１７に記載のシステムにおいて、
前記保護装置は、最終組み立て時に前記ワイヤの前記第１端と前記工具軸との間の連続的接触がモータ組立体による当該工具軸の回転によって維持されるように構成された、システム。
【請求項２０】
請求項１７に記載のシステムにおいて、
前記保護装置は、最終組み立て時に前記ワイヤの前記第１端が前記ハンドピースより末端側で前記工具軸に接触するように構成された、システム。
【請求項２１】
請求項１７に記載のシステムにおいて、
前記ワイヤの前記第１端が複数のワイヤ素線を含む、システム。
【請求項２２】
請求項２１に記載のシステムにおいて、
前記複数のワイヤ素線がワイヤブラシを形成する、システム。
【請求項２３】
請求項１７に記載のシステムにおいて、
前記ワイヤが炭素繊維ワイヤである、システム。
【請求項２４】
請求項１７に記載のシステムであって、
前記筐体が非導電性材料から形成される、システム。
【請求項２５】
請求項１７に記載のシステムにおいて、
前記筐体が、前記通路を介して前記工具軸の挿入および取り外しを可能にするように構成され、
さらに前記保護装置は、前記通路を通過しての前記工具軸の挿入により前記ワイヤの前記第１端が当該工具軸に接触するように構成された、システム。
【請求項２６】
請求項１７に記載のシステムにおいて、
前記保護装置が、前記切除工具軸を回転自在に支持するために前記前端開口に隣接する前記通路内に配設された軸受部材をさらに備える、システム。
【請求項２７】
請求項２６に記載のシステムにおいて、
前記保護装置が、前記前端に隣接する前記筐体の外面に組み付けられ、前記工具軸と前記軸受部材との間の接続部を支持するように適合されたカラーをさらに備える、システム。
【請求項２８】
請求項１７に記載のシステムにおいて、
前記保護装置が、前記前端に隣接する前記通路内に組み付けられたシール部材をさらに備え、
前記シール部材は、前記工具軸を選択的に受けるサイズを有する窓孔を画定し、
前記シール部材は、最終組み立て時に前記工具軸に対する液密シールを確立する、システム。
【請求項２９】
請求項１７に記載のシステムにおいて、
前記工具軸が基端区分を画定し、
前記切除工具が、
前記基端区分の外面上に適用された非導電性材料と、
前記駆動機構に接続するように構成され、前記非導電性材料上に組み付けられたコネクタ片と
をさらに備える、システム。
【請求項３０】
請求項２９に記載のシステムにおいて、
前記工具軸が、前記基端区分から末端方向に延びる中間区分であって、当該基端区分の直径より大きい直径を有する肩を形成する中間区分をさらに画定し、
さらに前記コネクタ片が、前記肩より基端側の端において終わり、
前記切除工具が、前記工具軸上で前記コネクタ片の前記端と前記肩との間に組み付けられた非導電性スペーサをさらに備える、システム。
【請求項３１】
請求項１７に記載のシステムにおいて、
前記ハンドピースが、
ユーザによって握られるように適合された外部筐体と、
最終組み立て時に前記工具軸を支持するように適合された軸受スリーブであって、非導電性材料から形成された軸受スリーブと
を含み、
前記駆動機構が、前記工具軸を受けてこれに接触するように適合されており、非導電性材料から形成され、
さらに、最終組み立て時に、前記軸受スリーブおよび前記駆動機構が、前記外部筐体および前記モータの電気接地を前記工具軸から電気的に絶縁する、システム。
【請求項３２】
請求項１７に記載のシステムにおいて、
前記ハンドピースが、
ユーザによって握られるように適合された外部筐体と、
最終組み立て時に前記工具軸を回転自在に支持する第１転がり軸受組立体と、
前記駆動機構を回転自在に支持する第２転がり軸受組立体と
を含み、
前記第１及び第２転がり軸受組立体のそれぞれが、内輪と、外輪と、当該内輪と当該外輪との間に移動可能に捕捉された複数の転がり軸受とを含み、
前記転がり軸受が、非導電性材料から形成されて、前記外部筐体および前記モータの電気接地を前記工具軸から電気的に絶縁する、システム。